(57)【要約】【課題】  無線ＬＡＮ環境において、アクセスポイントまたは、ユーザ位置情報に基づいて動的にユーザ権限を切り替えることを目的とする。【解決手段】  ネットワークと、アクセスポイントと、上記ネットワーク及び上記アクセスポイントと接続可能なサーバを有する情報処理装置であって、前記ネットワーク上のデバイスが登録されているデータベースを管理する第一の管理手段と、クライアント端末がアクセスポイントを介して上記ネットワークに接続する際に、アクセスポイントの位置情報に基づいて、前記クライアント端末のユーザ権限、及びユーザＩＤを決定する第二の管理手段と、前記第二の管理手段により得られたユーザＩＤを認証し、前記クライアント端末に対してネットワーク接続許可を与える認証手段を具備することを特徴とする情報処理装置。【選択図】  図１
2006079253.tif 000002
【特許請求の範囲】
【請求項１】
ネットワークと、アクセスポイントと、上記ネットワーク及び上記アクセスポイントと接続可能なサーバを有する情報処理装置であって、
前記ネットワーク上のデバイスが登録されているデータベースを管理する第一の管理手段と、クライアント端末がアクセスポイントを介して上記ネットワークに接続する際に、アクセスポイントの位置情報に基づいて、前記クライアント端末のユーザ権限、及びユーザＩＤを決定する第二の管理手段と、前記第二の管理手段により得られたユーザＩＤを認証し、前記クライアント端末に対してネットワーク接続許可を与える認証手段を具備することを特徴とする情報処理装置。
【請求項２】
前記第一の管理手段は、前記ネットワーク上のデバイスの位置に関する情報を階層的に表した階層型位置情報に対応した複数のマップ情報を記憶する記憶手段を具備し、上記記憶手段に記憶されているマップ情報と、位置情報とに基いて制御を行い、クライアント端末に表示することを特徴とする請求項１に記載の情報処理装置。
【請求項３】
前記第二の管理手段により決定されたユーザ権限に基づいて、前記クライアント端末に表示するマップ情報、及びデバイスを制御することを特徴とする請求項１に記載の情報処理装置。
【請求項４】
ネットワークと、アクセスポイントと、上記ネットワーク及び上記アクセスポイントと接続可能なサーバを有する情報処理装置であって、
前記ネットワーク上のデバイスが登録されているデータベースを管理する第一の管理手段と、クライアント端末がアクセスポイントを介して上記ネットワークに接続する際に、クライアント端末の位置情報に基づいて、前記クライアント端末のユーザ権限、及びユーザＩＤを決定する第二の管理手段と、前記第二の管理手段により得られたユーザＩＤを認証し、前記クライアント端末に対してネットワーク接続許可を与える認証手段を具備することを特徴とする情報処理装置。
【発明の詳細な説明】
【技術分野】
【０００１】
本発明は情報処理装置、デバイス、ネットワークシステム、情報処理方法、デバイス制御方法、デバイス検索方法、記憶媒体に関し、特に、前記検索されたデバイスとその位置関係を分かりやすく表示するためのデバイス検索システムに用いて好適なものである。
【背景技術】
【０００２】
従来、ネットワーク上に接続された各種の資源（プリンタ、サーバ装置、スキャナなど）を効率的に発見し、利用するための方法として、ディレクトリサービスと呼ばれるものが提供されている。上記ディレクトリサービスとは、言わばネットワークに関する電話帳であり、様々な情報を格納するためのものである。上記ディレクトリサービスを用いたディレクトリシステムの具体例としては、例えばＬＤＡＰ（Ｌｉｇｈｔ  ｗｅｉｇｈｔ  Ｄｉｒｅｃｔｏｒｙ  Ａｃｃｅｓｓ  Ｐｒｏｔｏｃｏｌ）がある。上記ＬＤＡＰの規定は、ＩＥＴＦ（ＩｎｔｅｒｎｅｔＥｎｇｉｎｅｅｒｉｎｇ  Ｔａｓｋ  Ｆｏｒｃｅ）が発行している標準仕様であるＲＦＣ（ＲｅｑｕｅｓｔＦｏｒ  Ｃｏｍｍｅｎｔｓ）１７７７に記載されている。上記ディレクトリサービスを用いて、例えばネットワークに接続されているデバイス端末装置を検索することにより、ネットワーク上で利用可能なデバイス端末装置のネットワークアドレスの一覧を得ることができる。
【０００３】
さらに、使用するデバイス端末装置の階層的な位置情報を検索、また、検索した結果を階層的な位置情報を基にユーザに分かりやすく表示すること知られている。例えば、デバイス端末装置プリンタを例に取れば、「自分のフロアにおいて、自分の場所に一番近いプリンタはどこにあるのか」とか、「カラー画像を出力できるプリンタは、その建物の中のどの場所にあるのか」などといった検索を視覚的に分かりやすくクライアント端末装置に表示することが可能である。（特許文献１）
また、ユーザがクライアント端末装置にログインする際に使用するユーザＩＤ毎に、ユーザ権限を設定し、検索できるデバイス端末装置や、検索できる階層型位置の範囲を制限する提案もにてされている。（特許文献２）
また、従来より、無線ＬＡＮシステムでは、クライアント端末は、ネットワーク上にあるアクセスポイントとの無線通信を介してネットワーク接続していた。また、クライアント端末はアクセスポイントを介し、ネットワーク上にある認証サーバからネットワークへの接続の認証を受ける無線ＬＡＮシステムがあり、前述したようなユーザ権限に基づいたネットワークデバイス検索システムに応用が可能である。
【特許文献１】特開２００１−０８４２１０号公報
【特許文献２】特開２００１−１０９７８０
【発明の開示】
【発明が解決しようとする課題】
【０００４】
しかしながら、前述した検索システムを使用する際、ユーザに予めユーザ権限が設定されている場合は、ユーザは、そのユーザ権限を持っていることを示すためにユーザＩＤ、パスワード入力などを随時、行わなければならず、また、ユーザは自分の権限が何であるかを意識しておく必要がある。さらに、より上位の権限を得たい場合は、検索システム管理者などに申請を行わなければならない。また、管理者は、増減するユーザ数に対してが随時、権限設定を行わなければならないといった課題があった。
【０００５】
本発明は、このような課題を解決するために、無線ＬＡＮ環境において、アクセスポイントまたは、ユーザ位置情報に基づいて動的にユーザ権限を切り替えることを目的とする。
【課題を解決するための手段】
【０００６】
ネットワークと、アクセスポイントと、上記ネットワーク及び上記アクセスポイントと接続可能なサーバを有する情報処理装置であって、前記ネットワーク上のデバイスが登録されているデータベースを管理する第一の管理手段と、クライアント端末がアクセスポイントを介して上記ネットワークに接続する際に、アクセスポイントの位置情報に基づいて、前記クライアント端末のユーザ権限、及びユーザＩＤを決定する第二の管理手段と、前記第二の管理手段により得られたユーザＩＤを認証し、前記クライアント端末に対してネットワーク接続許可を与える認証手段を具備することを特徴とする情報処理装置。
【発明の効果】
【０００７】
以上、説明してきたように無線ＬＡＮ環境において、アクセスポイントまたは、ユーザ位置情報に基づいて動的にユーザ権限を切り替えることにより、ユーザはユーザＩＤ取得の申請が不要となり、ユーザＩＤ及びパスワードを覚える必要もなくなる。また、管理者は、管理サーバへ位置情報と権限を関連付けした情報を、最初に作成するだけで、ユーザが増える場合、あるいはユーザの権限を変更する場合に行っていた対応が不要となる。
【発明を実施するための最良の形態】
【０００８】
（第１の実施例）
以下、本発明の実施例を図面を参照して詳細に説明する。
【０００９】
図１は、本発明の情報処理装置、デバイス、ネットワークシステム、情報処理方法、デバイス制御方法、デバイス検索方法、記憶媒体の一実施の形態を示すデバイス検索システムの構成を示す図である。図１に示したように、クライアント装置２０、デバイス３０、サーバ装置１０、アクセスポイント４０がネットワーク５０上に配置される。クライアント装置２０は、例えば汎用のコンピュータ等で構成され、サーバ装置に所望のデバイス検索条件を送信してその結果を受信する検索要求モジュール２１と、受信した検索結果を可視表示する表示モジュール等を有する。サーバ装置１０は、ネットワーク５０上のデバイスの属性情報を管理するデータベース１１を有するディレクトリサーバとしての機能を有する。データベース１１には、ネットワーク上のデバイスの識別情報及びそのデバイスが有する各種層性の情報が登録されている。検索モジュール１２は、クライアント装置２０から受信したデバイス検索条件に基づいてデータベース１１から条件に合致するデバイスを検索し、その検索結果をクライアント装置に送信する。デバイス属性登録モジュール３１は、デバイス３０等からデバイス属性を受信してデータベース１１に登録する。デバイス３０は、クライアント装置２０等に各種サービスを提供するため機能を有し、例えばスキャナ、プリンタ著しくはファクシミリ等である。デバイス属性送信モジュール３１は、自身の属性情報をサーバ装置１０に送信して登録要求を行う。アクセスポイント４０は、通信可能範囲に存在するクライアント装置２０と無線通信することができる。また、本実施の形態では、無線通信の方式としてＩＥＥＥ８０２．１１、ＩＥＥＥ８０２．１１ｂ、及びＩＥＥＥ８０２．１１ａなどの標準に基づく無線ＬＡＮ（Ｌｏｃａｌ  Ａｒｅａ  Ｎｅｔｗｏｒｋ）を利用する。尚、図１の例はデバイス検索システムの最小単位の構成を示したものであり、クライアント装置、及び、デバイスはネットワーク上に複数配置される。また、サーバ装置を複数配置したデバイス検索システムであってもよい。
【００１０】
図２は、アクセスポイントのブロック図である。
【００１１】
アクセスポイントとは、無線ＬＡＮの中の親機の役割をする機器で複数台のパソコンに接続された無線ＬＡＮアダプタ同士のファイル共有が無線の環境で使用可能な機器である。
【００１２】
２０１は無線部であり、無線データを送受信する。無線部２０１は送信部２１０、受信部２１１、アンテナ２１２からなる。２０２は信号処理部であり、受信部２１１で受信した信号を検波し、デジタル信号に変換するとともに、データ処理部２０３から送られてくるデジタル信号を無線で送信するために変調する。また、信号処理部２０２はデータ処理部２０３から送られてくるデータを無線送信用のデータとするためにヘッダ等を添付したり、受信したデータからヘッダ等をはずしてデータ処理部２０３へ送ったりする機能を有する。
【００１３】
２０３はデータ処理部であり、ネットワークインターフェース２０８からのデータにＷＥＰ暗号化方式で暗号処理を施す送信データ処理部２０５と、暗号化されたデータを復号化する受信データ処理部２０６からなる。２０４は制御部であり、新たなクライアント端末の存在を判定したり、アクセスポイント全体の制御を行ったりする。２０７は記憶部であり、ＷＥＰ暗号化処理を行うための暗号キーや、クライアント端末のＩＤ等の情報を記憶する。２０８はネットワークインターフェース部であり、アクセスポイントとネットワークとのインターフェースである。
【００１４】
図３は、本実施の形態の無線ＬＡＮ環境を有するフロアのレイアウトビットマップを示しており、このフロア１Ｆでは、デバイス検索システムが動作可能である。ここで、フロア１Ｆは、部屋３０１及び３０２を有している。３０３及び３０４は、それぞれ、部屋３０１及び３０２に設置されたＭＦＰ（Ｍｕｌｔｉ  Ｆｕｎｃｔｉｏｎ  Ｐｅｒｉｐｈｅｒａｌ、これはコピー機であるが、ネットワークカラープリンタ、スキャナ、ファックスとしても使用可能なものである）を示している。ここでは、ＭＦＰをネットワークデバイスの代表として示しているが、モノクロプリンタ、スキャナであっても構わないものとする。３０５及び３０６は、ユーザの所有するノートＰＣである。これらは、ネットワーククライアントのプログラムが実行可能なＰＣである。これらのノートＰＣは上述したクライアント端末装置として無線ＬＡＮに接続可能なものであり、後述するようにネットワーク上に接続されたサーバ装置に対して所望の条件を満たすデバイスに関する問い合わせ情報を発行する機能ともに、検索結果を表示する表示機能を有している。３０７は、本実施の形態のネットワークサーバのプログラムが実行可能なワークステーションＷＳである。このワークステーションＷＳ１１２は、上述したサーバ端末装置としてネットワークに接続されているものであり、後述するように、ネットワークデバイス３０３、３０４に関する種々の情報が格納されており、ネットワークに接続されたクライアント装置３０５あるいは３０６からのデバイス検索の問い合わせを受け付け、その結果を返す機能を有している。
【００１５】
図４は、一般的なパーソナルコンピュータの内部構成を示した概略構成図であり、図３におけるノートＰＣ３０５、３０６及びサーバ端末装置３０７などの基本的な内部構成はこのようになっている。図４において、４００は、クライアント装置ソフトウェアあるいはネットワークサーバ装置ソフトウェア（以下、これらをまとめてネットワークデバイス端末装置検索ソフトウェアと呼ぶ）が稼動するＰＣであり、図３における３０５，３０６あるいは３０７と同等である。ＰＣ４００は、ＲＯＭ４０３もしくはハードディスク（ＨＤ）４１１に記憶された、あるいはフロッピー（登録商標）ディスクドライブ（ＦＤ）４１２より供給されるネットワークデバイス検索ソフトウェアを実行するＣＰＵ４０２を備え、システムバス４０１に接続される各デバイスを総括的に制御する。４０４はＲＡＭで、ＣＰＵ４０２の主メモリ、ワークエリア等として機能する。４０５はキーボードコントローラ（ＫＢＣ）で、キーボード（ＫＢ）４０９からの指示入力を制御する。４０６はＣＲＴコントローラ（ＣＲＴＣ）で、ＣＲＴディスプレイ（ＣＲＴ）４１０の表示を制御する。４０７はディスクコントローラ（ＤＫＣ）で、ブートプログラム、種々のアプリケーション、編集ファイル、ユーザファイルそしてネットワーク管理プログラム等を記憶するハードディスク（ＨＤ）４１１及びフロッピー（登録商標）ディスクコントローラ（ＦＤ）４１２とのアクセスを制御する。４０８はネットワークインタフェースカード（ＮＩＣ）で、ＬＡＮ４２０を介して、ネットワークプリンタ、他のネットワーク機器あるいは他のＰＣと双方向にデータをやりとりするためのものである。４１３はマウスコントローラ（ＭＣ）であり、マウス（ＭＳ）４１４を制御する。
【００１６】
図５は、一般的な無線ＬＡＮ環境におけるユーザ認証を示すフローチャートである。まず、ユーザ、はアクセスポイントに対して接続要求を行う。（５０１）次に、アクセスポイントは、ユーザに対し、ユーザＩＤを要求する。（５０２）次に、ユーザは、予め与えられているユーザＩＤ、例えば、「“Ａ“」をアクセスポイントを介して認証サーバに送信する。（５０３）認証サーバは、ユーザＩＤを受信後、ユーザＩＤが正しいものであるか否かの判定を行い、正しければユーザに対してパスワード要求を行う。（５０４）ユーザは予めユーザＩＤに対して登録してあるパスワード、例えば「”ＸＸＸ“」を認証サーバに対して送信する。（５０５）認証サーバは、パスワードを受信後、パスワードが正しいものであるか否かの判定を行い、正しければユーザに対して接続許可を出す。（５０６）以上の過程を経て、ユーザは始めてネットワークに接続が可能となる。（５０７）ここで、ユーザは、図１におけるデバイスの属性情報を管理するデータベース１１を有するサーバ装置１０に接続を行い、ネットワークデバイスリストをノートＰＣに表示することが可能となる。
【００１７】
ここで、例えば、ネットワークデバイスリストの表示制限を行うため、ユーザの権限を設定する場合、管理者は、認証サーバで個々のユーザＩＤに対して権限を設定することで実現可能である。ユーザは、管理者に対してユーザＩＤ取得の申請を行うため、管理者は、ユーザが増える場合、あるいはユーザの権限を変更する場合、随時対応する必要がある。また、ユーザは、ユーザＩＤ及びパスワードを記憶しておく必要がある。
【００１８】
次に、第１の実施例のポイントとなるアクセスポイントの位置情報からユーザ権限を取得し、デバイスリスト（レイアウト）の表示を行うためのフローチャートを図６に示す。
【００１９】
まず、ユーザは、アクセスポイントを介して管理サーバに対して接続要求を行う。（６０１）
管理サーバは、図７に示すような位置情報とユーザＩＤ、権限を関連付けしたデータベースを有している。位置情報は、アクセスポイントがどこの場所にあるかを座標として示す情報、権限はユーザに与える権限を示す情報である。また、権限は、ａｄｍｉｎ、ｕｓｅｒ、ｇｕｅｓｔの順番で上位の権限としている。アクセスポイントからの接続要求（６０１）に対して管理サーバは、接続要求を送信したアクセスポイント位置情報の要求を行う。（６０２）次に、アクセスポイントは、予め登録されているその位置情報、例えば、「“Ｐ０“」を管理サーバに対して送信する。（６０３）次に、管理サーバは、図７に示す情報をもとにユーザＩＤ（位置情報Ｐ０のユーザＩＤは、”ＩＤ０”）を検索し、認証サーバに送信する。（６０４）認証サーバは、ユーザＩＤを受信後、アクセスポイントを介してユーザに対して接続許可を出す。（６０５）以上の過程を経て、ユーザはネットワークに接続が可能となる。前述したユーザＩＤ“ＩＤ０”に対しては図７に示すように“ａｄｍｉｎ“の権限付けがなされているため、ユーザは”ａｄｍｉｎ”としてネットワークデバイスリストをノートＰＣに表示することが可能となる。これにより、ユーザの接続するアクセスポイントの位置情報により、ユーザの権限が動的に変わることがわかる。
【００２０】
次に、ユーザの権限に応じたネットワークデバイスリストの表示方法を図３、８、９を用いて説明を行う。図３において、ユーザが３０５の位置にいる場合、接続するアクセスポイントは３０８とし、ユーザが３０６の位置にいる場合、接続するアクセスポイントは３０９とする。また、３０８のアクセスポイントの位置情報から得られるユーザの権限は、“ａｄｍｉｎ“とし、３０９のアクセスポイントの位置情報から得られるユーザの権限は、“ｇｕｅｓｔ“とする。そして、ユーザが３０５の位置にいる場合は、前述した図６のフローチャートにより“ａｄｍｉｎ“権限を取得し、図８に示すように、例えば、ノートＰＣ上のブラウザにフロアレイアウト及びネットワークデバイスを表示する。ここで、“ａｄｍｉｎ“権限は、全てのフロア（全ての部屋）のレイアウト、全てのネットワークデバイスを表示することを可能としている。また、ユーザが３０６の位置にいる場合は、前述した図６のフローチャートにより“ｇｕｅｓｔ“権限を取得し、図９に示すように、例えば、ノートＰＣ上のブラウザにフロアレイアウト及びネットワークデバイスを表示する。ここで、“ｇｕｅｓｔ“権限は、一部のフロア（一部の部屋）のレイアウト、一部のネットワークデバイスを表示することを可能としている。これによると、“ｇｕｅｓｔ“権限を取得したユーザは、図３の部屋３０１及びＭＦＰ３０３を表示することができないことがわかる。
【００２１】
以上、説明してきたように無線ＬＡＮ環境において、アクセスポイントの位置情報に基づいて動的にユーザ権限を切り替えることが可能となる。
【００２２】
（第２の実施例）
第１の実施例では、アクセスポイントの位置情報に基づいて動的にユーザ権限を切り替えを行っていたが、第２の実施例では、ユーザの位置情報に基づいて動的にユーザ権限を切り替える方法について説明を行う。
【００２３】
ユーザーの位置情報取得のための手段として、本実施例では、例としてＧＰＳを用いることにする。ＧＰＳ（Ｇｒｏｂａｌ  Ｐｏｓｉｔｉｏｎｉｎｇ  Ｓｙｓｔｅｍ）は、衛星軌道上を周回し、人工衛星から発信された電波を受信して測点の位置を求める汎地球測位システムＧＰＳである。図１０は、ＧＰＳを受信するための携帯端末を説明するための図である。携帯端末１００２は、ＧＰＳ受信部１００３と、マネージャ１００４と、制御システム１００５と、無線通信部１００６とを有する。ＧＰＳ受信部１００３は、ＧＰＳ１００１からの情報を受信し、座標データを経度、緯度として取得する受信部である。マネージャ１００４は、ＧＰＳ受信部１００３から座標情報を受け取るとともに、制御システム１００５からの制御を受け、無線通信部１００６の通信を行うマネージャである。制御システム１００５は、ＧＰＳ受信部１００３、マネージャ１００４、無線通信部１００６を含む携帯端末を制御する制御システムである。無線通信部１００６は、携帯端末１００２の無線通信を司る部分である。本実施例では、これらの手段をノートＰＣが備えているものとし、ユーザの位置情報の取得を行う。
【００２４】
次に、第２の実施例のポイントとなるユーザの位置情報からユーザ権限を取得し、デバイスリスト（レイアウト）の表示を行うためのフローチャートを図１１に示す。まず、ユーザは、アクセスポイントを介して管理サーバに対して接続要求を行う。（１１０１）管理サーバは、図１２に示すようなユーザ位置情報とユーザＩＤ、権限を関連付けしたデータベースを有している。ユーザ位置情報は、ユーザがどこの場所にいるかを領域として示す情報、権限については実施例１と同様であるため説明を省略する。
【００２５】
アクセスポイントからの接続要求（１１０１）に対して管理サーバは、接続要求を送信したユーザ位置情報の要求を行う。（１１０２）次に、前述したＧＰＳにより取得した位置情報、例えば、「“Ｐ１“」を管理サーバに対して送信する。（１１０３）次に、管理サーバは、図１２に示す情報をもとに、取得したユーザー位置がユーザー位置情報のどこの領域に属しているかを検索し、さらにユーザＩＤ（ユーザ位置情報Ｐ０のユーザＩＤは、”ＩＤ０”）を検索し、認証サーバに送信する。（１１０４）認証サーバは、ユーザＩＤを受信後、アクセスポイントを介してユーザに対して接続許可を出す。（１１０５）
以上、説明してきたように無線ＬＡＮ環境において、ユーザの位置情報に基づいて動的にユーザ権限を切り替えることが可能となる。
【００２６】
（第３の実施例）
第１及び第２の実施例においては、ユーザ権限をネットワークデバイスの表示制限のために利用していたが、これのみによるものではなく、例えば、“ａｄｍｉｎ“権限を有するユーザは、カラーＭＦＰは使用可能であるが、”ｇｕｅｓｔ“権限を有するユーザはモノクロＭＦＰのみ使用可能である、などネットワークデバイスの機種、機能制限としても利用可能である。１例として図１３及び１４に示す。図１３は、“ａｄｍｉｎ“権限を有するユーザが閲覧しているレイアウト及びデバイスであり、１３０１，１３０２は、カラーＭＦＰ、１３０３はモノクロＭＦＰとする。また、図１４は、”ｇｕｅｓｔ“権限を有するユーザが閲覧しているレイアウト及びデバイスであり、ここで、ｇｕｅｓｔ“権限をするユーザは、カラーＭＦＰを使用できないという制限を加えているため、全てのレイアウト（部屋）は表示されているが、カラーＭＦＰは表示されていないことがわかる。
【図面の簡単な説明】
【００２７】
【図１】本実施例１におけるシステムの概略図。
【図２】本実施例１におけるアクセスポイントの構成図。
【図３】本実施例１におけるレイアウトの説明図。
【図４】本実施例１におけるＰＣの構成図。
【図５】本実施例１におけるフローチャート。
【図６】本実施例１におけるフローチャート。
【図７】本実施例１における位置情報と権限の説明図。
【図８】本実施例１におけるブラウザ上のデバイス表示の説明図。
【図９】本実施例１におけるブラウザ上のデバイス表示の説明図。
【図１０】本実施例２におけるＧＰＳの構成図。
【図１１】本実施例２におけるフローチャート。
【図１２】本実施例２における位置情報と権限の説明図。
【図１３】本実施例３におけるブラウザ上のデバイス表示の説明図。
【図１４】本実施例３におけるブラウザ上のデバイス表示の説明図。
【符号の説明】
【００２８】
１０  サーバ装置
１１  データベース
１２  検索モジュール
１３  属性登録モジュール
２０  クライアント装置
２１  検索要求モジュール
２２  表示モジュール
３０  デバイス
３１  検索要求モジュール
４０  アクセスポイント
５０  ネットワーク
【図１】
2006079253.tif 000003
【図２】
2006079253.tif 000004
【図３】
2006079253.tif 000005
【図４】
2006079253.tif 000006
【図５】
2006079253.tif 000007
【図６】
2006079253.tif 000008
【図７】
2006079253.tif 000009
【図８】
2006079253.tif 000010
【図９】
2006079253.tif 000011
【図１０】
2006079253.tif 000012
【図１１】
2006079253.tif 000013
【図１２】
2006079253.tif 000014
【図１３】
2006079253.tif 000015
【図１４】
2006079253.tif 000016